(57)【要約】      （修正有）【課題】クランプによる締め付けのみで継手本体のニップルに対し可撓管を密着させて着脱可能に連結する。【解決手段】弾性変形可能な可撓管Ｂの挿入空間に沿って設けられたニップル１１を有する継手本体１０と、第一フランジ１２と、ニップルと可撓管の挿入空間を挟んで径方向へ対向するように設けられる筒状のへルール２０と、第二フランジ２１と、挿入空間に差し込まれた可撓管の外表面とへルールとの間に設けられる径方向へ弾性変形可能な環状の押さえ部材３０と、第一フランジ及び第二フランジを締め付けるクランプ４０と、を備え、へルールは、第一フランジと第二フランジの締め付け状態で、挿入空間に差し込まれた可撓管の外表面Ｂ２に向け押さえ部材を押し込むように形成される押圧面２２を有し、押さえ部材は、押圧面により可撓管の外表面に入り込んで可撓管の内表面Ｂ１がニップルの外周面に圧接するように形成される縮径部３１を有する。【選択図】図１
2020008060.tif 000002
【特許請求の範囲】
【請求項１】
弾性変形可能な可撓管の挿入空間に沿って設けられたニップルを有する継手本体と、
前記ニップルよりも径方向外側で且つ前記継手本体の軸方向端部に径方向へ突出して形成される第一フランジと、
前記ニップルと前記可撓管の前記挿入空間を挟んで径方向へ対向するように設けられる筒状のへルールと、
前記へルールの軸方向端部に前記第一フランジと軸方向へ対向するように径方向へ突出して形成される第二フランジと、
前記挿入空間に差し込まれた前記可撓管の外表面と前記へルールとの間に設けられる径方向へ弾性変形可能な環状の押さえ部材と、
前記第一フランジ及び前記第二フランジに亘って両者の対向方向へ接近させ締め付けるように設けられるクランプと、を備え、
前記へルールは、前記クランプによる前記第一フランジと前記第二フランジの締め付け状態で、前記挿入空間に差し込まれた前記可撓管の前記外表面に向け前記押さえ部材を押し込むように形成される押圧面を有し、
前記押さえ部材は、前記押圧面により前記可撓管の前記外表面に入り込んで前記可撓管の内表面が前記ニップルの外周面に圧接するように形成される縮径部を有することを特徴とする管継手。
【請求項２】
前記押さえ部材の外面と径方向に対向する前記へルールの前記押圧面が、前記第二フランジから軸方向へ離隔することに伴って徐々に縮径されるテーパー面であることを特徴とする請求項１記載の管継手。
【請求項３】
前記継手本体の前記第一フランジ及び前記へルールの前記第二フランジが、前記クランプの環状溝と径方向へ対向する外周端に先細部を有することを特徴とする請求項１又は２記載の管継手。
【請求項４】
前記へルールが、前記第二フランジと軸方向へ離隔した外面に凸部を有することを特徴とする請求項１、２又は３記載の管継手。
【発明の詳細な説明】
【技術分野】
【０００１】
本発明は、例えば食品、飲料、医薬、化粧品、酪農、化学などのサニタリー性を追求した製造ラインに、ホースやチューブなどの弾性変形可能な可撓管を接続するために用いられる管継手に関する。
詳しくは、継手の接続端に形成されるフランジ同士をクランプで締め付けて固定するへルール継手，フェルール継手，サニタリー継手などと呼ばれる管継手に関する。
【背景技術】
【０００２】
従来、この種の管継手として、筒状の継手本体がニップルと接続部を有し、ホースやチューブなどの管体の接続端部に対してニップルが挿入され、その外側に設けられるスリーブ（カシメパイプ）をカシメ機で縮径変形させることにより、管体の接続端部が抜け止めされて軸方向へ位置ズレ不能に接続するものがある（例えば、特許文献１参照）。
継手本体の接続部は、へルール継手などとして継手本体の接続端に形成される溝付のフランジであり、フランジ同士の間にＯリングなどのガスケット（パッキン）を挟んで接合され、クランプにより締め付けて固定される。
クランプで締め付けるへルール継手などは、レンチやスパナなどの工具不要で且つ手締めにて簡単に連結及び分解が可能となるため、製造ラインを頻繁に分解洗浄する必要がある食品、飲料、医薬、化粧品、酪農、化学などの業界で広く使われている。
【先行技術文献】
【特許文献】
【０００３】
【特許文献１】特開２０１３−２４１９５４号公報
【発明の概要】
【発明が解決しようとする課題】
【０００４】
ところで、食品や飲料などの製造ラインでは、管体を通る流体が変更される度に、流体からの着香、味覚、変色などの理由で管体を交換する必要があった。
またへルール継手などは、管体の中でも変形不能なパイプ同士を連結する構造が一般的であり、製造ラインが複雑に曲がる場合には簡単に設置できず不向きであった。
これに対し、特許文献１のように管体としてホースやチューブなどの弾性変形可能な可撓管が連結可能な管継手もある。
しかし、特許文献１では、カシメ機により管体及びカシメパイプを縮径変形させて継手本体のニップルと一体化する必要があるため、製造ラインの設置現場では管体を通る流体が変更される度に、ホースやチューブなどの管体を簡単に交換することが困難であった。
このため、管体の交換作業を簡単に行うには、へルール継手に対してカシメ機で縮径接続した予備の管体を用意しておく必要があり、多数の管体を接続している現場では、予備の管体も多数必要になって、それらの管理が面倒になるという問題があった。
【課題を解決するための手段】
【０００５】
このような課題を解決するために本発明に係る管継手は、弾性変形可能な可撓管の挿入空間に沿って設けられたニップルを有する継手本体と、前記ニップルよりも径方向外側で且つ前記継手本体の軸方向端部に径方向へ突出して形成される第一フランジと、前記ニップルと前記可撓管の前記挿入空間を挟んで径方向へ対向するように設けられる筒状のへルールと、前記へルールの軸方向端部に前記第一フランジと軸方向へ対向するように径方向へ突出して形成される第二フランジと、前記挿入空間に差し込まれた前記可撓管の外表面と前記へルールとの間に設けられる径方向へ弾性変形可能な環状の押さえ部材と、前記第一フランジ及び前記第二フランジに亘って両者の対向方向へ接近させ締め付けるように設けられるクランプと、を備え、前記へルールは、前記クランプによる前記第一フランジと前記第二フランジの締め付け状態で、前記挿入空間に差し込まれた前記可撓管の前記外表面に向け前記押さえ部材を押し込むように形成される押圧面を有し、前記押さえ部材は、前記押圧面により前記可撓管の前記外表面に入り込んで前記可撓管の内表面が前記ニップルの外周面に圧接するように形成される縮径部を有することを特徴とする。
【図面の簡単な説明】
【０００６】
【図１】本発明の実施形態に係る管継手の全体構成を示す説明図であり、（ａ）が分解時の縦断正面図、（ｂ）が連結時の縦断正面図である。
【図２】本発明の実施形態に係る管継手の変形例を示す説明図であり、（ａ）が分解時の縦断正面図、（ｂ）が連結時の縦断正面図である。
【図３】本発明の実施形態に係る管継手の変形例を示す説明図であり、（ａ）が分解時の縦断正面図、（ｂ）が連結時の縦断正面図である。
【発明を実施するための形態】
【０００７】
以下、本発明の実施形態を図面に基づいて詳細に説明する。
本発明の実施形態に係る管継手Ａは、図１〜図３に示すように、継手本体１０の接続端に形成される溝付フランジ１を有し、接続される他の継手本体１０′の溝付フランジ１′との間にＯリングなどのガスケット２を挟んで接合され、へルールクランプ３により締め付けて固定する流体継手である。この種の管継手Ａは、例えばへルール継手，フェルール継手，サニタリー継手などと呼ばれ、その中でも管体として弾性変形可能な可撓管Ｂを連結するために用いられる流体継手である。
詳しく説明すると、本発明の実施形態に係る管継手Ａは、可撓管Ｂの挿入空間Ｓに沿って設けられたニップル１１を有する継手本体１０と、ニップル１１と径方向へ対向するように設けられるへルール２０と、へルール２０の内側に設けられる押さえ部材３０と、継手本体１０及びへルール２０を軸方向へ接近させて締め付けるように設けられるクランプ４０と、を主要な構成要素として備えている。
可撓管Ｂの挿入空間Ｓは、継手本体１０のニップル１１とへルール２０及び押さえ部材３０との間に形成される。
管継手Ａの具体例として図１（ａ）（ｂ）に第一管継手Ａ１を示す。管継手Ａの変形例として、図２（ａ）（ｂ）に第二管継手Ａ２を示し、図３（ａ）（ｂ）に第三管継手Ａ３を示している。
【０００８】
可撓管Ｂは、例えば塩化ビニルなどの軟質合成樹脂やシリコーンゴムやその他のゴムなどの可撓性を有する軟質材料で成形され、ハサミなどの刃物（図示しない）により所定長さに切断可能な例えばホースやチューブなどである。
可撓管Ｂとしては、平坦な内表面Ｂ１及び外表面Ｂ２を有し、その切断面Ｂ３が略垂直又は垂直に近い角度で切断されたものを用いることが好ましい。
挿入空間Ｓに対しては、図１（ａ），図２（ａ）及び図３（ａ）に示されるように、可撓管Ｂの切断面Ｂ３から所定長さの接続端部Ｂａが差し込まれる。
可撓管Ｂの具体例として図示される例では、単層構造のホースが用いられ、接続端部Ｂａをその他の部位より若干拡径変形させた状態で、後述する継手本体１０のニップル１１に沿って嵌合している。
また、その他の例として図示しないが、複数層構造のホースやチューブなどを用いることや、可撓管Ｂの接続端部Ｂａをその他の部位より拡径変形させずにニップル１１と嵌合することなどの変更が可能である。
【０００９】
継手本体１０は、例えば真鍮やステンレスなどの金属や硬質合成樹脂などの剛性材料で略円筒状に形成され、その軸方向一端側に溝付のフランジ１を有している。
継手本体１０の軸方向他端側には、ニップル１１と第一フランジ１２を有している。
ニップル１１は、可撓管Ｂ（接続端部Ｂａ）の内径と略同じか又は可撓管Ｂ（接続端部Ｂａ）の内径よりも若干小さな外径を有する円筒状に形成され、挿入空間Ｓに差し込まれた可撓管Ｂの内表面Ｂ１と径方向へ対向する外周面１１ａを有する。ニップル１１の外周面１１ａには、軸方向へ抜け止め用の凹凸部１１ｂを形成することが好ましい。
第一フランジ１２は、ニップル１１の外周面１１ａよりも径方向外側において継手本体１０の軸方向他端部に径方向へ環状に突出して形成される。
さらにニップル１１の外側に形成される挿入空間Ｓには、図１（ａ），図２（ａ）及び図３（ａ）に示されるように、可撓管Ｂがその内表面Ｂ１をニップル１１の外周面１１ａ沿って対向させるように差し込まれる。
【００１０】
継手本体１０の一例として図１（ａ）（ｂ）に示される第一管継手Ａ１及び図２（ａ）（ｂ）に示される第二管継手Ａ２の場合には、ニップル１１と可撓管Ｂの挿入空間Ｓを挟んで第一フランジ１２が軸方向へ二重筒状に突出するように形成されている。
さらに図１（ａ）（ｂ）に示される第一管継手Ａ１の例では、第一フランジ１２の対向面１２ａにおいて後述する押さえ部材３０と軸方向へ対向する内周縁に円環状の凹溝１２ｂを形成している。
図２（ａ）（ｂ）に示される第二管継手Ａ２の例では、第一フランジ１２の対向面１２ａにおいて後述する押さえ部材３０と軸方向へ対向する内周縁に第一面取り部１２ｃを形成している。
また継手本体１０の他の例として図３（ａ）（ｂ）に示される第三管継手Ａ３の場合には、ニップル１１の基端に可撓管Ｂの挿入空間Ｓを挟むことなく第一フランジ１２の対向面１２ａが平滑に形成されている。
なお、それ以外の継手本体１０の変形例として図示しないが、第一フランジ１２を図示例以外の形状に変更することも可能である。
【００１１】
へルール２０は、例えば真鍮やステンレスなどの金属や硬質合成樹脂などの剛性材料で、可撓管Ｂ（接続端部Ｂａ）の外径よりも若干大きな内径を有する略円筒状に形成され、その軸方向一端部に第二フランジ２１を有し、内周に押圧面２２を有している。
第二フランジ２１は、継手本体１０の第一フランジ１２と軸方向へ対向して接合するように径方向へ環状に突出して形成される。
さらにへルール２０は、図１（ａ），図２（ａ）及び図３（ａ）に示されるように、その内側空間に可撓管Ｂを挿通することで可撓管Ｂの外側に配置される。挿入空間Ｓに対する可撓管Ｂの差し込み後には、押さえ部材３０とへルール２０を継手本体１０に向けて軸方向へ動かすことにより、第一フランジ１２と第二フランジ２１を接近させるようにへルール２０が配置される。
押圧面２２は、図１（ｂ），図２（ｂ）及び図３（ｂ）に示されるように、後述するクランプ４０により第一フランジ１２と第二フランジ２１を軸方向へ接近させて締め付けた状態で、差し込み後の可撓管Ｂの外表面Ｂ２に向けて後述する押さえ部材３０を押し込むように構成される。
押圧面２２は、第二フランジ２１から軸方向へ離隔することに伴って徐々に縮径されるテーパー面に形成することが好ましい。
さらにへルール２０は、第二フランジ２１と軸方向へ離隔した外面に凸部２３を有することが好ましい。
【００１２】
へルール２０の一例として図１（ａ）（ｂ）に示される第一管継手Ａ１及び図２（ａ）（ｂ）に示される第二管継手Ａ２の場合には、第二フランジ２１の対向面２１ａにおいて後述する押さえ部材３０と軸方向へ対向する内周縁と、テーパー状に形成された押圧面２２の端縁との間に第二面取り部２１ｂを形成している。
またへルール２０の他の例として図３（ａ）（ｂ）に示される第三管継手Ａ３の場合には、テーパー状に形成された押圧面２２の大径な一端側に環状の凹凸内面２２ａを形成している。
第一管継手Ａ１，第二管継手Ａ２及び第三管継手Ａ３の場合には、凸部２３をフランジ状に形成している。
なお、それ以外のへルール２０の変形例として図示しないが、押圧面２２や凸部２３を図示例以外の形状に変更することも可能である。
【００１３】
押さえ部材３０は、例えばゴムや軟質合成樹脂などの軟質材料か又は金属や硬質合成樹脂などの硬質材料で、可撓管Ｂ（接続端部Ｂａ）の外径と略同じ内径を有し、且つ少なくとも径方向へ弾性変形可能な環状に形成される。
押さえ部材３０が硬質材料製である場合には、例えばＣ形リングのように周方向の一部にスリットやすり割りなどを形成して分離することにより、径方向への弾性変形が可能になる。
さらに押さえ部材３０は、図１（ａ），図２（ａ）及び図３（ａ）に示されるように、その内側孔３０ａに可撓管Ｂを挿通することで可撓管Ｂの外側に配置される。挿入空間Ｓに対する可撓管Ｂの差し込み後には、押さえ部材３０とへルール２０を継手本体１０に向けて軸方向へ動かすことにより、可撓管Ｂの外表面Ｂ２とへルール２０の押圧面２２との間に押さえ部材３０を径方向へ挟むように配置される。
また押さえ部材３０は、図１（ｂ），図２（ｂ）及び図３（ｂ）に示されるように、後述するクランプ４０による第一フランジ１２と第二フランジ２１の締め付け状態で、へルール２０の押圧面２２により可撓管Ｂの外表面Ｂ２の一部に入り込んで可撓管Ｂの内表面Ｂ１の一部がニップル１１の外周面１１ａに圧接するように形成される縮径部３１を有している。
つまり、後述するクランプ４０で第一フランジ１２と第二フランジ２１が軸方向へ接近して締め付けられると、押さえ部材３０はへルール２０の押圧面２２で差し込み後の可撓管Ｂの外表面Ｂ２向け押圧されて弾性的に縮径変形する。これに伴い、押さえ部材３０の内周面となる縮径部３１によって、可撓管Ｂの外表面Ｂ２の一部は径方向へ圧縮変形して、縮径部３１が可撓管Ｂの外表面Ｂ２の一部に食い込む。これにより、可撓管Ｂにおいて径方向へ圧縮変形した外表面Ｂ２の一部と径方向へ対向する内表面Ｂ１の一部は、ニップル１１の外周面１１ａに圧接されて密着する。
【００１４】
押さえ部材３０の具体例として図１〜図３に示される場合には、押さえ部材３０の全体がゴムなどの軟質材料で形成され、内周面となる縮径部３１を可撓管Ｂの外表面Ｂ２と略平行な平滑面に形成している。
さらに図１（ａ）（ｂ）に示される第一管継手Ａ１の場合には、押さえ部材３０の一端側外面に、へルール２０の押圧面２２と略平行に対向する第一傾斜面３２を形成している。押さえ部材３０の他端側には、第一フランジ１２の対向面１２ａの内周縁に形成された円環状の凹溝１２ｂと軸方向へ嵌め合う円環状の突起３３を形成している。
図２（ａ）（ｂ）に示される第二管継手Ａ２の場合には、押さえ部材３０の一端側外面に形成した第一傾斜面３２に加えて、押さえ部材３０の他端側外面には、第一フランジ１２の対向面１２ａの内周縁に形成された第一面取り部１２ｃと軸方向へ略平行に対向する第二傾斜面３４を形成している。
また図３（ａ）（ｂ）に示される第三管継手Ａ３の場合には、テーパー状の押圧面２２の大径な一端側に形成された環状の凹凸内面２２ａと径方向に対向する凹凸外面３５を押さえ部材３０の外周面に形成している。押さえ部材３０の軸方向一端部には、第一フランジ１２の対向面１２ａと第二フランジ２１の対向面２１ａとの間に挟まれる鍔部３６を形成している。
なお、それ以外の押さえ部材３０の変形例として図示しないが、へルール２０の押圧面２２との摩擦抵抗を減らすため第一傾斜面３２に凹凸部位を形成することや、例えばＯ形リングなどが複数個並べて配置されることで押さえ部材３０を構成するなど、図示例以外の形状に変更することも可能である。
特に可撓管Ｂとして複数層構造のホースやチューブを用いる場合には、押さえ部材３０の内周面や外周面に複数の凹溝を軸方向へ形成することも可能である。これにより、ニップル１１から浸入した流体が、複数層構造のホースやチューブの層間に侵入するトラブルを防止することができる。
【００１５】
クランプ４０とは、周方向へ連続する環状溝４１が内側に形成された環状体４２を締め具（図示しない）で締め付け固定するためのへルール継手などに用いられる従来周知構造の工具であり、例えばへルールクランプ，クランプバンド，サニタリークランプ，などと呼ばれる。
クランプ４０の中でも、環状体４２が周方向へ複数に分割され、締め具として蝶ナットなどの手動操作可能なものが好ましい。クランプ４０は、溝付のフランジ１同士を締め付けるへルールクランプ３と同種のものや、サイズが合えばへルールクランプ３と同じものであってもよい。
クランプ４０の具体例としては、特開２００６−２２６３４５号公報に記載される二ツ割（二分割）構造や、三ツ割（三分割）構造など、種々の構造のものが使用可能である。
クランプ４０は、図１（ｂ），図２（ｂ）及び図３（ｂ）に示されるように、挿入空間Ｓに対して可撓管Ｂが差し込まれた後に、継手本体１０の第一フランジ１２とへルール２０の第二フランジ２１に亘ってクランプ４０を、環状溝４１が第一フランジ１２及び第二フランジ２１の外周端と嵌合するようにセットし、締め具の回転操作によって第一フランジ１２及び第二フランジ２１が軸方向へ接近移動され、締め付け固定される。
【００１６】
これに加えて、継手本体１０の第一フランジ１２とへルール２０の第二フランジ２１において、クランプ４０の環状溝４１と径方向へ対向する外周端は、先細部１２ｔ，２１ｔをそれぞれ有することが好ましい。
先細部１２ｔ，２１ｔは、第一フランジ１２及び第二フランジ２１において対向面１２ａ，２１ａと反対側の面を面取り加工することなどにより、第一フランジ１２及び第二フランジ２１の外周端幅を、クランプ４０の環状溝４１の開口幅に比べてより肉薄に形成している。
【００１７】
このような本発明の実施形態に係る管継手Ａ（第一管継手Ａ１，第二管継手Ａ２及び第三管継手Ａ３）によると、挿入空間Ｓに対する可撓管Ｂの差し込み後に、継手本体１０の第一フランジ１２とへルール２０の第二フランジ２１をクランプ４０で軸方向へ接近移動させて締め付けることにより、へルール２０の押圧面２２で押さえ部材３０が弾性的に縮径変形して、縮径部３１を可撓管Ｂの外表面Ｂ２の一部に押し込む。
これに伴い、押さえ部材３０の縮径部３１で可撓管Ｂの外表面Ｂ２の一部が径方向へ圧縮変形して、可撓管Ｂの内表面Ｂ１の一部をニップル１１の外周面１１ａに圧接させる。
したがって、クランプ４０による締め付けのみで継手本体１０のニップル１１に対し可撓管Ｂを密着させて着脱可能に連結することができる。
その結果、カシメ機による管体及びカシメパイプの縮径変形で継手本体のニップルと一体化させる必要がある従来のものに比べ、カシメ機などの専用工具が無くても現場で可撓管Ｂを簡単に交換できる。しかも可撓管Ｂの交換作業は、専門知識が無い者でもできて便利である。
さらに、可撓管Ｂを通る流体が変更される度に着香、味覚、変色などの理由で可撓管Ｂの交換が必要であっても、製造ラインの設置現場において流体毎に可撓管Ｂを簡単に交換できる。このため、へルール継手に対してカシメ機で縮径接続した予備の管体を複数種類用意する必要がある従来のものに比べ、作業性に優れるばかりでなく、管理上も優れる。
【００１８】
特に、押さえ部材３０の外面（第一傾斜面３２）と径方向に対向するへルール２０の押圧面２２は、第二フランジ２１から軸方向へ離隔することに伴って徐々に縮径されるテーパー面であることが好ましい。
この場合には、クランプ４０で継手本体１０の第一フランジ１２に対しへルール２０の第二フランジ２１を軸方向へ接近移動させて締め付けることにより、押さえ部材３０の外面（第一傾斜面３２）に沿って押圧面２２となるテーパー面がスムーズに摺動する。
このため、押圧面２２となるテーパー面で押さえ部材３０の外面（第一傾斜面３２）を徐々に縮径変形させて、縮径部３１が可撓管Ｂの外表面Ｂ２の一部に対し徐々に押し込まれる。
したがって、クランプ４０による第一フランジ１２と第二フランジ２１の接近移動をスムーズに行って、ニップル１１の外周面１１ａに可撓管Ｂの内表面Ｂ１の一部を確実に密着させることができる。
その結果、押さえ部材３０がゴムなどのような摩擦抵抗が大きくてへルール２０の押圧面２２との摺動性に劣る弾性材料からなる場合であっても、クランプ４０により第一フランジ１２と第二フランジ２１を確実に接近移動できて、より作業性に優れる。
【００１９】
さらに、継手本体１０の第一フランジ１２及びへルール２０の第二フランジ２１は、クランプ４０の環状溝４１と径方向へ対向する外周端に先細部１２ｔ，２１ｔを有することが好ましい。
この場合には、継手本体１０の第一フランジ１２とへルール２０の第二フランジ２１に亘ってクランプ４０をセットすることにより、第一フランジ１２と第二フランジ２１が軸方向へ若干離れていても、第一フランジ１２の先細部１２ｔと、第二フランジ２１の先細部２１ｔがそれぞれクランプ４０の環状溝４１内に嵌入する。
このため、第一フランジ１２と第二フランジ２１が軸方向へ若干離れた状態でも、クランプ４０の締め付け動作により第一フランジ１２と第二フランジ２１が接近移動可能になる。
したがって、第一フランジ１２と第二フランジ２１の隙間に影響されずにクランプ４０の締め付け動作を行うことができる。
その結果、押さえ部材３０がゴムなどのような摩擦抵抗が大きくてへルール２０の押圧面２２との摺動性に劣る弾性材料からなるため、第一フランジ１２と第二フランジ２１が離れている場合であっても、クランプ４０により第一フランジ１２と第二フランジ２１を確実に接近移動できて、より作業性に優れる。
【００２０】
また、へルール２０は、第二フランジ２１と軸方向へ離隔した外面に凸部２３有することが好ましい。
この場合には、管継手Ａの分解時においてへルール２０の凸部２３に対し、クランプ４０や指などを引っ掛けて第一フランジ１２と第二フランジ２１が離隔する方向へ引っ張ることにより、へルール２０の押圧面２２が押さえ部材３０から剥がれて離隔移動可能になる。
したがって、管継手Ａを素早く分解することができる。
その結果、押さえ部材３０がゴムなどのような摩擦抵抗が大きくてへルール２０の押圧面２２に密着する場合であっても、短時間に分解できて、より作業性に優れる。
【００２１】
なお、前示の実施形態において図示例では、軟質材料製の押さえ部材３０のみを説明したが、これに限定されず、軟質材料製の押さえ部材３０に代えてＣ形リングなどの硬質材料製の押さえ部材３０を用いてもよい。
【符号の説明】
【００２２】
Ａ  管継手                              １０  継手本体
１１  ニップル                          １１ａ  外周面
１２  第一フランジ                      １２ｔ  先細部
２０  へルール                          ２１  第二フランジ
２１ｔ  先細部                          ２２  押圧面
２３  凸部                              ３０  押さえ部材
３１  縮径部                            ３２  外面（第一傾斜面）
４０  クランプ                          ４１  環状溝
Ｂ  可撓管                              Ｂ１  内表面
Ｂ２  外表面                            Ｓ  挿入空間
【図１】
2020008060.tif 000003
【図２】
2020008060.tif 000004
【図３】
2020008060.tif 000005